(57)【要約】　　　（修正有）【課題】異なる大きさの網目を備えた網体を簡単に製造できる方法およびその製造装置を提供することである。【解決手段】網体の製造方法は、複数の山形状列線１８、２０の屈曲部１９、２１同士を相互に重ね合わせて大ループ２３と小ループ２２とを形成し、該小ループ２２を捻って小網目と大網目とを形成することであり、網体の製造装置は、基台のスライド板に適宜間隔をもって設置された載置台４と、基台の両側に設けられた回転板と、回転板の上部間にわたって設置された上下動自在な横枠６と、横枠材に適宜間隔をもって垂下状に設けられた捻り棒とから構成され、前記載置台４の前後端側には山形状列線１８、１９を掛け止める掛止ピン１４、１５が立設され、少なくとも一方側の掛止ピン１４はスライド自在である。【選択図】　図７
2004034070.tif 000002
【特許請求の範囲】
【請求項１】
複数の山形状列線の屈曲部同士を相互に重ね合わせて大ループと小ループとを形成し、該小ループを捻って小網目と大網目とを形成することを特徴とする網体の製造方法。
【請求項２】
小網目と大網目とは小ループに捻り棒を差し込み、この捻り棒で小ループを捻って形成することを特徴とする請求項１に記載の網体の製造方法。
【請求項３】
基台のスライド板に適宜間隔をもって設置された載置台と、基台の両側に設けられた回転板と、該回転板の上部間にわたって設置された上下動自在な横枠材と、該横枠材に適宜間隔をもって垂下状に設けられた捻り棒とから構成され、前記載置台の前後端側には山形状列線を掛け止める掛止ピンが立設され、少なくとも一方側の掛止ピンはスライド自在であることを特徴とする網体の製造装置。
【発明の詳細な説明】
【０００１】
【発明の属する技術分野】
本発明は網体の製造方法およびその製造装置に関するものである。
【０００２】
【従来の技術】
従来の網体は、図１４に示すような菱形金網４５が知られている。この菱形金網４５は山形状列線４６の屈曲部４７同士を絡み合わせて形成したものであり、網目４８が全て同じ大きさになっている。
【０００３】
【発明が解決しようとする課題】
しかし、上記のような網体において異なる大きさの網目を形成することはできないという問題があった。
【０００４】
本発明はこれらの問題に鑑みてなされたものであり、異なる大きさの網目を備えた網体を簡単に製造できる方法およびその製造装置を提供することである。
【０００５】
【課題を解決するための手段】
以上の課題を解決するための網体の製造方法の要旨は、複数の山形状列線の屈曲部同士を相互に重ね合わせて大ループと小ループとを形成し、該小ループに捻り棒を差し込み、この捻り棒で小ループを捻って小網目と大網目とを形成することを特徴とする。また小網目と大網目とは小ループに捻り棒を差し込み、この捻り棒で小ループを捻って形成することを含む。
【０００６】
また網体の製造装置の要旨は、基台のスライド板に適宜間隔をもって設置された載置台と、基台の両側に設けられた回転板と、該回転板の上部間にわたって設置された上下動自在な横枠材と、該横枠材に適宜間隔をもって垂下状に設けられた捻り棒とから構成され、前記載置台の前後端側には山形状列線を掛け止める掛止ピンが立設され、少なくとも一方側の掛止ピンはスライド自在であることを特徴とする。
【０００７】
重ね合わせた屈曲部同士で形成された小ループを捻ると、大網目と小網目とが同時に形成されるので、大きさの異なる大網目と小網目とを備えた網体を簡単に製造することができる。また重ね合わせた屈曲部同士で形成された小ループに捻り棒を差し込んで捻ると、大網目と小網目とが同時に形成されるので、大きさの異なる大網目と小網目とを備えた網体を簡単に製造することができる。また横枠材に垂下状態で設けられた捻り棒により小網目を形成することができる。また載置台の前後端側に立設された掛止ピンの少なくとも一方側をスライド自在としたので、載置台に掛け止めされた山形状列線の形状を保持することができるとともに、屈曲部同士で小ループを形成することもできる。
【０００８】
【発明の実施の形態】
以下、本発明の網体の製造方法および製造装置の実施の形態について説明する。はじめに網体の製造装置について説明し、その後に網体の製造方法について説明する。また各実施の形態において同じ構成は同じ符号を付して説明し、異なった構成にのみ異なった符号を付して説明する。
【０００９】
網体の製造装置１は、図１に示すように、基台２のスライド板３に適宜間隔をもって設置された載置台４と、基台２の両側に対向して設けられた回転板５と、該回転板５の上部間にわたって設置された上下動自在な横枠材６と、該横枠材６に垂下状態で適宜間隔ごとに設けられた捻り棒７とから構成されている。
【００１０】
スライド板３は、図２および３に示すように、レール８とスライドガイド９とからなるリニアベアリング１０を介して基台２の上面全長にわたって設置され、一端部に接続されたエアーシリンダー１１によってスライドできるようになっている。このスライド板３には適宜間隔ごとにスタンド１２が立設され、このスタンド１２の上面にトッププレート１３が固定されて載置台４が構成されている。よって、載置台４は僅かな間隔を開けてスライド板３に多数立設され、エアーシリンダー１１によって横方向にスライドできるようになっている。
【００１１】
また載置台４のトッププレート１３には前後端側に掛止ピン１４、１５が立設され、前端側の掛止ピン１４がエアーシリンダー１６の先端部に立設されて、長孔１７をスライドできるようになっている。したがって、図４に示すように、後端側の掛け止めピン１５に１本目の山形状列線１８の屈曲部１９を掛け止めし、前端側の掛け止めピン１４に２本目の山形状列線２０の屈曲部２１を掛け止めすると、載置台間３９と載置台４上とには屈曲部１９、２１同士が重なり合った小ループ２２と大ループ２３とが形成される。またトッププレート１３の中央部には挿入孔２７が開口され、ここから小網目用の掛止ピン２８がトッププレート１３の上面に突出している。
【００１２】
また図５は両端側に設置された載置台４を示したものであり、トッププレート１３のトグルクランプ２９で、載置台４に掛け止めされた山形状列線１８、２０の端部を押さえ付けるものである。したがって、グリップ３０を上側方向（矢印方向）に持ち上げると、押さえ板３１がトッププレート１３から離れる方向に回転し、これとは反対にグリップ３０を下側方向に回転させると、押さえ板３１がトッププレート１３に押し付けられて山形状列線１８、２０の端部を押さえ付けることができるようになっている。
【００１３】
また基台２の両側に設置された回転板５は駆動モーター３３によって軸３６を中心に回転するようになっている（図１参照）。また回転板５の上部間には、図６に示すように、レール８とスライドガイド９とからなるリニアベアリング１０を介して横枠材６が掛け渡されている。このリニアベアリング１０のスライドガイド９には横枠材６の端部に接続された連結材３７が接続され、これには回転板５に設置したエアーシリンダー３８の先端部が接続されている。よって、この横枠材６はエアーシリンダー３８の伸び縮みで上下動するとともに、回転板５の回転にともなって先端部を中心に回転するようになっている。
【００１４】
また横枠材６には、図６に示すように、先端部が載置台間３９に位置するように捻り棒７が適宜間隔をもって垂下状に設けられている。したがって、この捻り棒７もエアーシリンダー３８の伸び縮みで上下動するとともに、回転板５の回転にともなって先端部を中心に回転するようになっている。また捻り棒７は載置台４に山形状列線１８、２０を掛け止める際には持ち上げられ、載置台４に山形状列線１８、２０が掛け止めされた後には、下げられて先端部が小ループ２２に差し込まれる。
【００１５】
次に、上記の網体の製造装置１を使用した網体の製造方法を図１および図７〜１０に基づいて説明する。はじめに、図１に示すように、捻り棒７を上側に押し上げて載置台間３９から抜いておく。次に、図７の（１）に示すように、後端側の掛止ピン１５に屈曲部１９を引っ掛けて、１本目の山形状列線１８を載置台４にセットする。次に、前端側の掛止ピン１４に屈曲部２１を引っ掛けて、２本目の山形状列線２０を載置台４にセットすると、屈曲部１９、２１同士が重なり合った小ループ２２と大ループ２３とが載置台間３９と載置台４上とに形成される。次に、同図の（２）に示すように、横枠材６を下降させて捻り棒７の先端部を小ループ２２に差し込む。そして、回転板５の回転で横枠材６を回転させると、捻り棒７が先端部を中心に回転して小ループ２２が捻られる。そして、捻り棒７が約１８０゜回転した後に、エアーシリンダー３８で横枠材６を下降させて、捻り棒７の先端部を小ループ２２から引き抜くとともに、回転板５を逆回転させて横枠材６を元の位置（上側）に戻す。
【００１６】
次に、上記と同じ操作で捻り棒７を下降させて、その先端部を小ループ２２に差し込むとともに、前記と同じ方法で回転させる。この操作を数回繰り返すと、図８の（１）に示すように、小網目２４と大網目２５とが同時に形成される。このように小ループ２２が捻られて小網目２４と大網目２５とが形成されると、この大網目２５の張力が大きくなって掛止ピン１４、１５から引き抜けなくなる。そこで、同図の（２）に示すように、前端側の掛止ピン１４をエアーシリンダー１６でスライドさせて大網目２５の張力を弱めると、掛止ピン１４、１５からの大網目２５の引き抜きが可能になる。なお、前記小網目２４と大網目２５とは小ループ２２に差し込んだ捻り棒７で捻って形成する他、小ループ２２を挟み板で挟んで捻ることによっても形成することができる。
【００１７】
次に、図９の（１）に示すように、横枠材６をエアーシリンダー３８で持ち上げて、載置台間３９から捻り棒７を引き上げる。そして、両端部の載置台４のトグルクランプ２９を緩めて、小網目２４と大網目２５とが形成された網線２６を掛止ピン１４、１５から引き抜くとともに、載置台４をエアーシリンダー１１で捻り棒７の真下、すなわち小網目２４が形成された箇所まで移動させる。そして、同図の（２）に示すように、小網目２４を小網目用の掛止ピン２８に引っ掛けると、大網目２５が載置台間３９に位置するようになる。
【００１８】
次に、載置台４をエアーシリンダー１１で元の位置、すなわち捻り棒７が載置台間３９に位置する箇所に移動させる。そして、図１０の（１）に示すように、前端側の掛止ピン１４に屈曲部４０を引っ掛けて、３本目の山形状列線４１を載置台４にセットすると、大網目の屈曲部２１と山形状列線４１の屈曲部４０とが重なり合った小ループ２２が載置台間３９に形成される。そして、この小ループ２２を前記と同様の方法で捻って小網目２４を形成する。このような作業を順次繰り返すことにより、同図の（２）に示すような網体４２が形成される。この網体４２は大網目２５の絡み合わせ部に小網目２４が形成されたものであり、異なる大きさの網目２３、２４を備えたものとなる。
【００１９】
図１１は小網目２４が大網目２５に対して垂直になった網体４３を示したものであり、この網体４３も上記とほぼ同じ方法で製造する。図１２はその製造方法を示したものであり、（１）に示すように、捻り棒７の回転を前記よりも多くまたは少なくして、垂直の小網目２４を形成する。次に、（２）に示すように、前記と同じ方法で掛止ピン１４、１５から引き抜いた網線２６を載置台４にセットして、垂直の小網目２４を挿入孔２７に差し込む。そして、前記と同様に３本目の山形状列線４１を載置台４にセットして、小ループ２２と大ループ２３とを形成し、この小ループ２２を捻って垂直の小網目２４と水平の大網目２５とを形成する（図示せず）。このような作業を順次繰り返すことにより、図１１に示す網体４３が製造される。
【００２０】
【発明の効果】
重ね合わせた屈曲部同士で形成された小ループを捻ると、大網目と小網目とを同時に形成することができるので、大きさの異なる大網目と小網目とを備えた網体を簡単に製造することができる。
【００２１】
重ね合わせた屈曲部同士で形成された小ループに捻り棒を差し込んで捻ると、大網目と小網目とを同時に形成することができるので、大きさの異なる大網目と小網目とを備えた網体を簡単に製造することができる。
【００２２】
横枠材に設けられた垂下状の捻り棒で小網目を形成することができる。
【００２３】
掛止ピンの少なくとも一方側をスライド自在としたので、載置台に掛け止めされた山形状列線の形状を保持することができるとともに、屈曲部同士で小ループを形成することもできる。
【図面の簡単な説明】
【図１】網体の製造装置の正面図である。
【図２】載置台の平面図である。
【図３】載置台の側面図である。
【図４】（１）は山形状列線がセットされた載置台の平面図、（２）は同斜視図である。
【図５】（１）はスライド板両端部における載置台の側面図、（２）は同平面図である。
【図６】網体の製造装置の要部拡大図である。
【図７】網体の製造方法を示し、（１）は山形状列線がセットされた載置台の平面図、（２）は捻り棒が回転する載置台の側面図である。
【図８】（１）は小網目が形成された平面図、（２）は前端側の掛止ピンが移動した平面図である。
【図９】（１）は捻り棒の真下に移動した載置台の正面図、（２）は小網目用の掛止ピンに小網目が掛け止めされた網線の平面図である。
【図１０】（１）は網線に他の山形状列線が重ね合わされた平面図、（２）は網体の平面図である。
【図１１】（１）は小網目が垂直になった網体の平面図、（２）は同斜視図である。
【図１２】（１）は垂直の小網目が形成された網線の平面図、（２）は小網目が挿入孔に差し込まれた網線の平面図である。
【図１３】小網目が挿入孔に差し込まれた網線の斜視図である。
【図１４】従来の網体の平面図である。
【符号の説明】
１　網体の製造装置
２　基台
３　スライド板
４　載置台
５　回転板
６　横枠材
７　捻り棒
８　レール
９　スライドガイド
１０　リニアベアリング
１１、１６、３８　エアーシリンダー
１２　スタンド
１３　トッププレート
１４、１５、２８　掛止ピン
１７　長孔
１８、２０、４１、４６　山形状列線
１９、２１、４０、４７　屈曲部
２２　小ループ
２３　大ループ
２４　小網目
２５　大網目
２６　網線
２７　挿入孔
２９　トルグクランプ
３０　クリップ
３１　押さえ板
３３　駆動モーター
３６　軸
３７　連結材
３９　載置台間
４２、４３　網体
４５　菱形金網
４８　網目
【図１】
2004034070.tif 000003
【図２】
2004034070.tif 000004
【図３】
2004034070.tif 000005
【図４】
2004034070.tif 000006
【図５】
2004034070.tif 000007
【図６】
2004034070.tif 000008
【図７】
2004034070.tif 000009
【図８】
2004034070.tif 000010
【図９】
2004034070.tif 000011
【図１０】
2004034070.tif 000012
【図１１】
2004034070.tif 000013
【図１２】
2004034070.tif 000014
【図１３】
2004034070.tif 000015
【図１４】
2004034070.tif 000016